(57)【要約】【課題】携帯性を維持しながら、効果的に照明が可能で、かつ、損傷しにくい携帯鏡を提供する。【解決手段】携帯鏡１０は、基台２０と、基台２０に対して開閉自在に設けられた板状の開閉蓋３０と、開閉蓋３０の中央部に配置された板状の鏡４０と、鏡４０を側方から挟むように開閉蓋３０に配置された面状発光体５０とを備え、面状発光体５０は、面状発光素子５１と、面状発光素子５１の発光面側に配置された光学フィルム５２とを含み、光学フィルム５２の、上記発光面とは反対側の面は、開閉蓋３０を閉じた状態で、鏡４０より基台２０側に位置している。【選択図】図６
2017148082.tif 000002
【特許請求の範囲】
【請求項１】
基台と、
前記基台に対して開閉自在に設けられた板状の開閉蓋と、
前記開閉蓋の中央部に配置された板状の鏡と、
前記鏡を側方から挟むように前記開閉蓋に配置された面状発光体とを備え、
前記面状発光体は、
面状発光素子と、
前記面状発光素子の発光面側に配置された光学フィルムとを含み、
前記光学フィルムの、前記発光面とは反対側の面は、前記開閉蓋を閉じた状態で、前記鏡より前記基台側に位置している
携帯鏡。
【請求項２】
前記光学フィルムは、
シート部と、
前記シート部と前記面状発光素子との間に設けられた複数のプリズム部とを含む
請求項１に記載の携帯鏡。
【請求項３】
前記開閉蓋の平面視形状は、矩形であり、
前記面状発光体は、前記開閉蓋の長手方向の両側に前記鏡を挟むように配置されている
請求項１又は２に記載の携帯鏡。
【請求項４】
前記基台は、前記開閉蓋を開閉自在に保持するヒンジ部を備え、
前記ヒンジ部の軸は、前記開閉蓋の長手方向に平行である
請求項３に記載の携帯鏡。
【請求項５】
前記面状発光素子は、有機ＥＬ素子である
請求項１〜４のいずれか１項に記載の携帯鏡。
【請求項６】
前記有機ＥＬ素子は、異なる色温度の光を発する複数の有機発光層を含み、
前記複数の有機発光層は、面内の互いに異なる位置に配置されている
請求項５に記載の携帯鏡。
【請求項７】
前記有機ＥＬ素子は、異なる色温度の光を発する複数の有機発光層を含み、
前記複数の有機発光層は、厚み方向に積層されている
請求項５に記載の携帯鏡。
【請求項８】
前記面状発光体は、さらに、前記面状発光素子と前記光学フィルムとの間に配置されたエレクトロクロミック膜を含む
請求項１〜７のいずれか１項に記載の携帯鏡。
【請求項９】
前記携帯鏡は、さらに、前記面状発光体の輝度及び色の少なくとも一方を制御する制御部を備える
請求項１〜８のいずれか１項に記載の携帯鏡。
【請求項１０】
前記携帯鏡は、さらに、
１以上の照明シーンのそれぞれと、前記面状発光体の輝度及び色の少なくとも一方とを対応付けたシーンテーブルを記憶する記憶部と、
前記１以上の照明シーンの１つを選択するためのユーザ指示を受け付ける受付部とを備え、
前記制御部は、前記受付部によって受け付けられたユーザ指示に基づいて、前記記憶部に記憶されたシーンテーブルを参照することにより、前記面状発光体の輝度及び色の少なくとも一方を制御する
請求項９に記載の携帯鏡。
【発明の詳細な説明】
【技術分野】
【０００１】
本発明は、携帯鏡に関する。
【背景技術】
【０００２】
移動先でも適宜、顔の表情、化粧の状態などを確認するためには、持ち運びが容易な携帯鏡が有用である。一方で、暗がりでも使用できるように、照明装置を取り付けた鏡が知られている。
【０００３】
ここで、ＬＥＤ（Ｌｉｇｈｔ  Ｅｍｉｔｔｉｎｇ  Ｄｉｏｄｅ）を手鏡に用いる場合、高輝度の点光源が視野内に入るためにグレアが生じやすい。グレアを抑えるためには、一つ一つのＬＥＤの輝度を下げ、個数を増やす方法、又は、導光板により面光源化する必要がある。
【０００４】
しかしながら、いずれの場合に関しても、必要な照度を得るためには発光部の大型化が必要となり、消費電力の増大と携帯性の低下とが想定される。このため、薄型で面発光が可能な有機ＥＬ（Ｅｌｅｃｔｒｏ−Ｌｕｍｉｎｅｓｃｅｎｃｅ）を用いる案があり、例えば、特許文献１には、照明装置付き鏡としての手鏡が開示されている。
【先行技術文献】
【特許文献】
【０００５】
【特許文献１】特開２００５−１７３０３６号公報
【発明の概要】
【発明が解決しようとする課題】
【０００６】
上記従来の照明装置付き鏡では、照明対象以外の方向にも配光がある場合、エネルギーのロスが大きい。また、鏡本体部の非発光部（鏡部分）と、発光部とが表面に露出している。このため、落下した場合などの衝撃が加えられた場合に損傷しやすいという課題がある。
【０００７】
そこで、本発明は、携帯性を維持しながら、効果的に照明が可能で、かつ、損傷しにくい携帯鏡を提供することを目的とする。
【課題を解決するための手段】
【０００８】
上記目的を達成するため、本発明の一態様に係る携帯鏡は、基台と、前記基台に対して開閉自在に設けられた板状の開閉蓋と、前記開閉蓋の中央部に配置された板状の鏡と、前記鏡を側方から挟むように前記開閉蓋に配置された面状発光体とを備え、前記面状発光体は、面状発光素子と、前記面状発光素子の発光面側に配置された光学フィルムとを含み、前記光学フィルムの、前記発光面とは反対側の面は、前記開閉蓋を閉じた状態で、前記鏡より前記基台側に位置している。
【発明の効果】
【０００９】
本発明によれば、携帯性を維持しながら、効果的に照明が可能で、かつ、損傷しにくい携帯鏡を提供することができる。
【図面の簡単な説明】
【００１０】
【図１】本発明の実施の形態に係る携帯鏡の概観斜視図である。
【図２】本発明の実施の形態に係る携帯鏡の開閉動作を示す概観斜視図である。
【図３】本発明の実施の形態に係る携帯鏡の左側面図である。
【図４】本発明の実施の形態に係る携帯鏡の右側面図である。
【図５】本発明の実施の形態に係る携帯鏡の開閉蓋の平面図である。
【図６】本発明の実施の形態に係る携帯鏡の開閉蓋の断面図である。
【図７】本発明の実施の形態に係る携帯鏡の面状発光素子の断面図である。
【図８】本発明の実施の形態に係る携帯鏡の光学フィルムの断面図である。
【図９Ａ】本発明の実施の形態に係る携帯鏡の光学フィルムが有するプリズム部の配置を示す図である。
【図９Ｂ】本発明の実施の形態に係る携帯鏡の光学フィルムが有するプリズム部の別の配置を示す図である。
【図１０】本発明の実施の形態に係る携帯鏡が照射する照明光の照射方向を示す図である。
【図１１】本発明の実施の形態に係る携帯鏡の機能構成を示すブロック図である。
【図１２】本発明の実施の形態に係る携帯鏡が保持するシーンテーブルを示す図である。
【図１３】本発明の実施の形態の変形例に係る携帯鏡の面状発光素子の断面図である。
【図１４】本発明の実施の形態の変形例に係る携帯鏡の開閉蓋の断面図である。
【発明を実施するための形態】
【００１１】
以下では、本発明の実施の形態に係る携帯鏡について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
（実施の形態）
［携帯鏡］
まず、本実施の形態に係る携帯鏡の構成について、図１〜図４を用いて説明する。
【００１４】
図１は、本実施の形態に係る携帯鏡１０を示す概観斜視図である。図２は、本発明の実施の形態に係る携帯鏡１０の開閉動作を示す概観斜視図である。図３は、本発明の実施の形態に係る携帯鏡１０の左側面図である。図４は、本発明の実施の形態に係る携帯鏡１０の右側面図である。
【００１５】
図１に示すように、携帯鏡１０は、基台２０と、開閉蓋３０と、鏡４０と、面状発光体５０と、カメラ６０とを備える。鏡４０、面状発光体５０及びカメラ６０は、開閉蓋３０に設けられている。
【００１６】
携帯鏡１０は、ユーザが携帯可能な鏡である。例えば、携帯鏡１０は、縦１５０ｍｍ、横２００ｍｍ、折りたたみ時厚さ１０ｍｍの横長の鏡である。また、携帯鏡１０の重さは、５００ｇ以下である。
【００１７】
携帯鏡１０では、開閉蓋３０が基台２０に対して開閉可能である。具体的には、図２に示すように、基台２０のヒンジ部２１を軸に、基台２０及び開閉蓋３０を回動させることで、開閉蓋３０を開けることができる。図１に示すように、開閉蓋３０が開けられた状態において、鏡４０及び面状発光体５０が露出する。
【００１８】
なお、以下では、携帯鏡１０の開閉蓋３０を閉じた状態を基準として、左右方向、前後方向及び上下方向をそれぞれ、Ｘ軸方向、Ｙ軸方向及びＺ軸方向と規定する。具体的には、「上方」は、携帯鏡１０の開閉蓋３０を閉じた状態における開閉蓋３０側（Ｚ軸正方向）であり、「下方」は、基台２０側（Ｚ軸負方向）である。さらに、「後方」は、ヒンジ部２１側（Ｙ軸正方向）であり、「前方」は、ヒンジ部２１の反対側（Ｙ軸負方向）である。「左方」は、「前方」から携帯鏡１０を見て左側（Ｘ軸正方向）であり、「右方」は、「前方」から携帯鏡１０を見て右側（Ｘ軸負方向）である。
【００１９】
［基台］
基台２０は、板状の筐体であり、ヒンジ部２１を備える。例えば、基台２０の平面視形状は矩形であり、基台２０の長辺部分にヒンジ部２１が設けられている。ヒンジ部２１は、開閉蓋３０を開閉自在に保持する。
【００２０】
ヒンジ部２１の軸は、基台２０の長手方向、及び、開閉蓋３０の長手方向に平行である。つまり、携帯鏡１０は、横長である。「横長」とは、図１に示すように、ヒンジ部２１が手前になるように基台２０を下にして、開いた状態の携帯鏡１０を配置した場合に、鏡４０の正面から見たときの携帯鏡１０（開閉蓋３０）の形状が横（左右方向）に長いことを意味している。
【００２１】
基台２０は、例えば、ポリブチレンテレフタレート（ＰＢＴ）などの樹脂材料から構成され、射出成形などによって形成される。あるいは、基台２０は、アルミニウムなどの金属材料から構成され、プレス加工などにより形成されてもよい。
【００２２】
基台２０の内部には、充電可能な二次電池、マイクロコントローラ（マイクロプロセッサ）、メモリ、通信モジュールなどが内蔵されている。また、基台２０の側面には、各種物理ボタン、及び、各種コネクタが配置されている。
【００２３】
具体的には、図３及び図４に示すように、基台２０の側面には、電源スイッチ２２と、撮影ボタン２３と、調光ボタン２４と、調色ボタン２５と、シーン選択ボタン２６と、ＵＳＢ（Ｕｎｉｖｅｒｓａｌ  Ｓｅｒｉａｌ  Ｂｕｓ）コネクタ２７と、充電コネクタ２８とが設けられている。なお、本実施の形態では、ＵＳＢコネクタ２７及び充電コネクタ２８を右側面に配置し、電源スイッチ２２などの各種ボタンを左側面に配置しているが、これらの配置はいかなるものでもよい。
【００２４】
電源スイッチ２２は、面状発光体５０の点灯及び消灯を切り替えるスイッチである。電源スイッチ２２は、例えば、スライド式のボタンであり、一方の側（図３に示す「ＯＮ」側）にスライドさせることで面状発光体５０を点灯させ、他方の側（図３に示す「ＯＦＦ」側）にスライドさせることで面状発光体５０を消灯する。
【００２５】
撮影ボタン２３は、カメラ６０を用いた撮影を行うためのプッシュボタンである。撮影ボタン２３が押下される度に、カメラ６０が被写体（携帯鏡１０のユーザ）を撮影する。
【００２６】
調光ボタン２４は、面状発光体５０の発光輝度の調整（調光）を行うためのプッシュボタン（トグルボタン）である。例えば、調光ボタン２４を押下される度に、面状発光体５０の発光輝度が変化する。例えば、Ｎ（Ｎは２以上の自然数）段階の調光が可能な場合、調光ボタン２４が押下される度に輝度が段階的に増加又は減少する。調光ボタン２４がＮ回押下されたときには、面状発光体５０の発光輝度は、元の状態（Ｎ回の押下の前の発光輝度）に戻る。
【００２７】
調色ボタン２５は、面状発光体５０の発光色の調整（調色）を行うためのプッシュボタン（トグルボタン）である。例えば、Ｍ（Ｍは２以上の自然数）段階の調色が可能な場合、調色ボタン２５が押下される度に発光色が段階的に変化する。調色ボタン２５がＭ回押下されたときには、面状発光体５０の発光色は、元の状態（Ｍ回の押下の前の発光色）に戻る。
【００２８】
シーン選択ボタン２６は、予め設定された照明シーンを選択するためのプッシュボタン（トグルボタン）である。照明シーンは、面状発光体５０の輝度及び色の組み合わせを示す情報である。所定の照明シーンが選択された場合に、面状発光体５０は、選択された照明シーンが示す輝度及び色の光を照射する。
【００２９】
例えば、Ｐ（Ｐは自然数）個の照明シーンが選択可能な場合に、シーン選択ボタン２６が押下される度に、予め決められた順序で照明シーンが切り替わる。シーン選択ボタン２６がＰ回押下されたときには、元の照明シーンに戻る。
【００３０】
ＵＳＢコネクタ２７は、例えば、雌型のＵＳＢコネクタであり、雄型のＵＳＢコネクタを有するＵＳＢケーブルなどを接続可能である。例えば、ＵＳＢコネクタ２７に携帯電話がＵＳＢケーブルを介して接続された場合に、携帯鏡１０は、内蔵する二次電池を放電させて携帯電話を充電することができる。あるいは、例えば、ＵＳＢコネクタ２７にパソコン（Ｐｅｒｓｏｎａｌ  Ｃｏｍｐｕｔｅｒ：ＰＣ）が接続された場合に、携帯鏡１０は、パソコンから電力を受けて、内蔵する二次電池を充電することができる。
【００３１】
充電コネクタ２８は、例えば、ＡＣアダプタなどを接続可能である。充電コネクタ２８にＡＣアダプタが接続されたときに、内蔵する二次電池を充電することができる。
【００３２】
［開閉蓋］
開閉蓋３０は、基台２０に対して開閉自在に設けられた板状の蓋体である。具体的には、開閉蓋３０は、ヒンジ部２１に接続されて、ヒンジ部２１の軸を回動軸として回動可能に固定されている。例えば、開閉蓋３０は、閉じた状態を０度とした場合に、２７０度以上の角度で回動可能である。
【００３３】
開閉蓋３０は、例えば、ＰＢＴなどの樹脂材料から構成され、射出成形などによって形成される。あるいは、開閉蓋３０は、アルミニウムなどの金属材料から構成され、プレス加工などにより形成されてもよい。
【００３４】
開閉蓋３０の平面視形状は、例えば、ヒンジ部２１との接続部分を除いて、基台２０と略同じである。つまり、開閉蓋３０の平面視形状は、矩形である。つまり、開閉蓋３０は、携帯鏡１０が閉じられた状態で、基台２０と開閉蓋３０との側面が面一になるように設けられている。
【００３５】
開閉蓋３０は、下面が開放された箱（トレイ）状に構成されている。開閉蓋３０の内部に、鏡４０及び面状発光体５０が収納されている。また、開閉蓋３０の枠部分（側壁部分）に、カメラ６０が設けられている。
【００３６】
以下では、図５及び図６を用いて、鏡４０及び面状発光体５０について詳細に説明する。図５は、本発明の実施の形態に係る携帯鏡１０の開閉蓋３０の平面図である。図６は、本発明の実施の形態に係る携帯鏡１０の開閉蓋３０の断面図である。なお、図６は、図５のＡ−Ａ断面を示している。
【００３７】
［鏡］
鏡４０は、図５に示すように、開閉蓋３０の中央部に配置された板状の鏡である。本実施の形態では、図５に示すように、鏡４０の平面視形状は矩形である。鏡４０は、開閉蓋３０の横幅（左右方向の長さ）中心を占めるように配置されている。
【００３８】
鏡４０は、例えば、ガラス板又はアクリル板などの透光性の板状の部材である。鏡４０の一方の主面には、光を鏡面反射させるためのアルミニウム又は銀などの金属薄膜が蒸着されている。鏡４０は、金属薄膜によって、入射した光を鏡面反射する。
【００３９】
鏡４０は、例えば、接着剤又は粘着シートなどを用いて、開閉蓋３０内に設けられた配線基板５３に接着されている。あるいは、開閉蓋３０の側壁の内側に突起部を設け、当該突起部と開閉蓋３０の底面との間に鏡４０が保持されてもよい。
【００４０】
［面状発光体］
面状発光体５０は、鏡４０を側方から挟むように開閉蓋３０に配置されている。具体的には、面状発光体５０は、開閉蓋３０の長手方向の両側に鏡４０を挟むように配置されている。つまり、図５に示すように、面状発光体５０は、鏡４０の左右方向の両側に配置されている。
【００４１】
面状発光体５０は、調光及び調色が可能である。例えば、面状発光体５０は、所定の輝度の光を照射することができる。また、面状発光体５０は、例えば、「昼光色」、「昼白色」、「電球色」などの異なる色温度の光を照射することができる。
【００４２】
図６に示すように、面状発光体５０は、面状発光素子５１と、光学フィルム５２と、配線基板５３とを備える。
【００４３】
面状発光素子５１は、有機ＥＬ素子であり、照明光を発する。照明光は、例えば、波長が３８０ｎｍ〜７８０ｎｍの可視光帯域の光（可視光）である。
【００４４】
なお、面状発光素子５１の詳細な構成については、図７を用いて後で説明する。
【００４５】
光学フィルム５２は、面状発光素子５１の発光面側に配置されている。光学フィルム５２は、面状発光素子５１から発せられた光が入射する光入射面と、入射した光を出射する光出射面とを有する。
【００４６】
光学フィルム５２は、面状発光素子５１が発した照明光を所定の方向に向けて出射する。具体的には、光学フィルム５２は、携帯鏡１０の長手方向（左右方向）の中心に向けて照明光を出射する。これにより、携帯鏡１０は、携帯鏡１０を覗き込むユーザの顔に向けて、照明光を照射することができる。
【００４７】
光学フィルム５２は、例えば、透光性を有する粘着シート、粘着剤などを用いて面状発光素子５１の発光面に接着されている。具体的には、光学フィルム５２の光入射面が、面状発光素子５１の発光面に接着されている。
【００４８】
光学フィルム５２の、面状発光素子５１の発光面とは反対側の面（光出射面）は、開閉蓋３０を閉じた状態で、鏡４０より基台２０側に位置している。つまり、図６に示すように、光学フィルム５２の光出射面は、鏡４０の表面（鏡面）よりも開閉蓋３０の開口側（紙面上方向）に位置している。言い換えると、光学フィルム５２の光出射面は、鏡４０よりも下方、すなわち、基台２０側に位置している。すなわち、開閉蓋３０を閉じた場合に、基台２０と鏡４０との間には中空の空間が形成される。
【００４９】
これにより、例えば、開閉蓋３０を閉じた状態において、外部から力が加えられたとき、光学フィルム５２が衝撃を和らげ、鏡４０に力が加わりにくくすることができる。つまり、光学フィルム５２が衝撃緩和機能を有する。したがって、鏡４０を損傷しにくくすることができる。
【００５０】
なお、光学フィルム５２の詳細な構成については、図８〜図１０を用いて後で説明する。
【００５１】
配線基板５３は、面状発光素子５１に電力を供給するための配線が設けられた基板である。配線基板５３は、例えば、フレキシブルプリント基板（ＦＰＣ）である。例えば、配線基板５３は、ポリイミド、ポリエチレンナフタレートなどの樹脂材料から構成されるベース及びカバーレイと、銅箔などの金属箔と、接着剤とから構成されている。
【００５２】
配線基板５３は、基台２０に内蔵された二次電池からの電力を面状発光素子５１に供給する。つまり、配線基板５３は、基台２０の内部からヒンジ部２１を通って開閉蓋３０まで配線している。
【００５３】
［カメラ］
カメラ６０は、被写体を撮影する撮影部である。撮影ボタン２３が押下されたときに、カメラ６０は、撮影を行う。カメラ６０は、例えば、レンズ及びイメージセンサを備える。カメラ６０は、例えば、開閉蓋３０に設けられている。具体的には、図５に示すように、カメラ６０は、開閉蓋３０の側壁部（枠部分）に設けられる。なお、カメラ６０は、基台２０又はヒンジ部２１などに設けられてもよい。
【００５４】
［面状発光素子］
続いて、本実施の形態に係る面状発光素子５１の詳細な構成について、図７を用いて説明する。図７は、本実施の形態に係る携帯鏡１０の面状発光素子５１の断面図である。
【００５５】
本実施の形態に係る面状発光素子５１は、異なる色温度の光を発する複数の有機発光層を含んでいる。複数の有機発光層は、面状発光素子５１の厚み方向に積層されている。
【００５６】
具体的には、図７に示すように、面状発光素子５１は、第１電極層１００と、第１発光層１０１と、第２電極層１０２と、第２発光層１０３と、第３電極層１０４とを備える。
【００５７】
第１電極層１００は、第１発光層１０１の陽極であり、例えば、アルミニウムなどの導電性の金属材料から構成される。
【００５８】
第１発光層１０１は、所定の色温度の光を発する有機発光層である。例えば、第１発光層１０１は、青色蛍光発光材料と緑色蛍光発光材料とを含む。第１発光層１０１は、第１電極層１００と第２電極層１０２との間に電圧が印加された場合に、青色及び緑色の混色の光を発する。
【００５９】
第２電極層１０２は、第１発光層１０１の陰極であり、かつ、第２発光層１０３の陽極である。例えば、第２電極層１０２は、酸化インジウムスズ（ＩＴＯ）などの透光性を有する導電性材料から構成される。
【００６０】
第２発光層１０３は、第１発光層１０１とは異なる色温度の光を発する有機発光層である。例えば、第２発光層１０３は、赤色燐光発光材料と緑色燐光発光材料とを含む。第２発光層１０３は、第２電極層１０２と第３電極層１０４との間に電圧が印加された場合に、赤色及び緑色の混色の光を発する。
【００６１】
第３電極層１０４は、第２発光層１０３の陰極であり、例えば、ＩＴＯなどの透光性を有する導電性材料から構成される。
【００６２】
面状発光素子５１の各層は、蒸着法、塗布法、スパッタリング法などによって形成される。なお、面状発光素子５１は、さらに、正孔注入層、正孔輸送層、電子輸送層及び電子注入層などの各種機能層を含んでいてもよい。
【００６３】
図７に示すように、第１電極層１００と第２電極層１０２との間に、第１電源１１０と第１スイッチ１２０とが接続されている。第２電極層１０２と第３電極層１０４との間に、第２電源１１１と第２スイッチ１２１とが接続されている。
【００６４】
第１スイッチ１２０及び第２スイッチ１２１の導通（オン）及び非導通（オフ）を制御することで、第１発光層１０１及び第２発光層１０３の発光を独立に制御することができる。具体的には、第１スイッチ１２０をオンして、第２スイッチ１２１をオフすることにより、第１発光層１０１のみを発光させることができる。第１スイッチ１２０をオフして、第２スイッチ１２１をオンすることにより、第２発光層１０３のみを発光させることができる。第１スイッチ１２０及び第２スイッチ１２１の両方をオンすることにより、第１発光層１０１と第２発光層１０３との両方を発光させることができる。
【００６５】
第１発光層１０１と第２発光層１０３とでは発光色が異なっているので、第１スイッチ１２０及び第２スイッチ１２１のオン及びオフを制御することにより、面状発光素子５１の発光色を制御することができる。また、第１電源１１０及び第２電源１１１の電圧値を調整することにより、面状発光素子５１の発光輝度を制御することができる。
【００６６】
なお、本実施の形態では、面状発光素子５１が２つの発光層（第１発光層１０１及び第２発光層１０３）を備える例について示したが、これに限らない。例えば、面状発光素子５１は、３つ以上の発光層を備えてもよい。例えば、面状発光素子５１は、緑色発光層、赤色発光層、青色発光層のそれぞれを備えてもよい。
【００６７】
［光学フィルム］
続いて、本実施の形態に係る光学フィルム５２の詳細な構成について、図８を用いて説明する。
【００６８】
図８は、本実施の形態に係る携帯鏡１０の光学フィルム５２の断面図である。なお、図８は、図６の領域Ｂを示している。したがって、図８において、紙面左側が携帯鏡１０の中央側であり、紙面右側が携帯鏡１０の外方側になる。
【００６９】
図８に示すように、光学フィルム５２は、シート部１３０と、複数のプリズム部１４０と、粘着層１５０とを備える。複数のプリズム部１４０の間には、中空の空間１６０が形成されている。
【００７０】
シート部１３０は、複数のプリズム部１４０を保持する保持シートである。シート部１３０は、複数のプリズム部１４０を通過した光を出射する光出射面を有する。なお、当該光出射面は、外部に露出しており、光学フィルム５２の光出射面に相当する。シート部１３０は、例えば、アクリル、ポリスチレンなどの樹脂材料から構成され、射出成形などによって形成される。
【００７１】
複数のプリズム部１４０は、シート部１３０と面状発光素子５１との間に設けられている。複数のプリズム部１４０は、左右方向に互いに空間１６０を介して配置されている。複数のプリズム部１４０は、例えば、アクリル、ポリスチレンなどの樹脂材料から構成され、射出成形などによって形成される。なお、複数のプリズム部１４０とシート部１３０とは、一体成形されてもよい。
【００７２】
プリズム部１４０の詳細な構成については、図９Ａ、図９Ｂ及び図１０を用いて後で説明する。
【００７３】
粘着層１５０は、光学フィルム５２を面状発光素子５１に接着する接着剤である。粘着層１５０は、例えば、透光性を有する樹脂系の接着剤である。このとき、粘着層１５０として、プリズム部１４０と屈折率が同じ材料を利用することで、光取り出し効率を高めることができる。
【００７４】
空間１６０は、複数のプリズム部１４０の間に設けられた中空の空間である。なお、空間１６０には、例えば、ゲル状の物質が充填されてもよい。
【００７５】
［プリズム部］
続いて、本実施の形態に係るプリズム部１４０の詳細について、図８を参照しながら、図９Ａ、図９Ｂ及び図１０を用いて説明する。
【００７６】
図９Ａ及び図９Ｂは、本実施の形態に係る携帯鏡１０の光学フィルム５２が有するプリズム部１４０の配置を示す図である。図１０は、本実施の形態に係る携帯鏡１０が照射する照明光の照射方向を示す図である。
【００７７】
複数のプリズム部１４０のそれぞれの断面形状は、図８に示すように、逆台形である。ここで、逆台形とは、上底が下底より長い台形である。上底は、シート部１３０との接続部分であり、下底は、粘着層１５０との接続部分である。つまり、複数のプリズム部１４０は、上底より短い下底で粘着層１５０に接着されている。したがって、図８に示すように、複数のプリズム部１４０間に形成された空間１６０は、シート部１３０から粘着層１５０に向かう方向に沿って、その幅が広くなる。
【００７８】
このように、中空の空間１６０が設けられていることで、光学フィルム５２に衝撃が加わった場合に、プリズム部１４０が左右に動く又は変形すること、及び、プリズム部１４０が上下に圧縮される動作が働くことができる。したがって、衝撃を緩和することができる。
【００７９】
さらに、上述したように、光学フィルム５２は、鏡４０よりも基台２０側に位置しているので、落下などの衝撃は、鏡４０よりもまず光学フィルム５２に伝わる。したがって、光学フィルム５２が衝撃を緩和することができるので、鏡４０に衝撃が伝わりにくくすることができ、鏡４０の損傷を抑制することができる。
【００８０】
また、複数のプリズム部１４０のそれぞれは、中心線１４１が鏡４０の内方側に向くように傾斜されている。ここで、中心線１４１は、図８に示す断面において、逆台形の上底の中点と下底の中点とを結ぶ直線である。中心線１４１は、厚み方向より角度θだけ鏡４０側に傾斜している。つまり、複数のプリズム部１４０のそれぞれは、携帯鏡１０の左右方向の中央に向けて傾いて配置されている。
【００８１】
面状発光素子５１からは、様々な方向に照明光が出射される。例えば、照明光１７０は、携帯鏡１０の外方側に出射されて、プリズム部１４０に入射する。照明光１７１は、携帯鏡１０の中央側に出射されて、プリズム部１４０に入射する。照明光１７０は、プリズム部１４０の側面１４２（反射面）で反射し、携帯鏡１０の中央に向けて光出射面から出射される。また、照明光１７１は、元々、携帯鏡１０の中央側に出射された光であり、側面１４２で反射されずに、プリズム部１４０を通って光出射面から、携帯鏡１０の中央に向けて出射される。
【００８２】
このように、プリズム部１４０によって、面状発光素子５１から発せられた照明光は、携帯鏡１０の中央に向けて出射される。
【００８３】
プリズム部１４０は、例えば、図８に示す逆台形状の断面を有し、図９Ａに示すように、前後方向（開閉蓋３０の短手方向）に延伸した多角柱体である。ただし、この断面形状は放物面形状でもよく、複数の面からなる多角形形状でもよい。図９Ａに示すように、複数のプリズム部１４０が、左右方向（開閉蓋３０の長手方向）に並んで配置されている。
【００８４】
あるいは、プリズム部１４０は、例えば、逆台形状の断面を有する斜円錐台でもよい。例えば、図９Ｂに示すように、複数のプリズム部１４０ｃ及び１４０ｄが、行列状に並んで配置されていてもよい。なお、プリズム部１４０ｃ及び１４０ｄは、斜円錐台ではなく、斜角錐台でもよい。
【００８５】
なお、図９Ａにおいて右側の複数のプリズム部１４０ａの断面（Ｃ−Ｃ断面）は、図８に示す断面に相当するのに対して、左側の複数のプリズム部１４０ｂの断面は、図８に示す断面を左右に反転したものに相当する。これにより、複数のプリズム部１４０ａ及び１４０ｂはそれぞれ、携帯鏡１０の中央に向けて照明光を出射する。
【００８６】
図９Ｂに示す複数のプリズム部１４０ｃの場合も同様である。つまり、図９Ｂにおける右側の複数のプリズム部１４０ｃの断面（Ｄ−Ｄ断面）は、図８に示す断面に相当するのに対して、左側の複数のプリズム部１４０ｄの断面は、図８に示す断面を左右に反転したものに相当する。
【００８７】
したがって、例えば、図１０に示すように、携帯鏡１０の中心線上に位置するユーザ１８０に向けて照明光を照射することができる。
【００８８】
以上のように、本実施の形態に係るプリズム部１４０は、衝撃を緩和することができるだけでなく、照明光をユーザ１８０に向けて照射することができる。
【００８９】
［携帯鏡の機能構成］
続いて、本実施の形態に係る携帯鏡１０の機能構成について、図１１を用いて説明する。図１１は、本実施の形態に係る携帯鏡１０の機能構成を示すブロック図である。
【００９０】
図１１に示すように、携帯鏡１０は、発光部２００と、制御部２１０と、電池部２２０と、充放電制御部２３０と、受付部２４０と、記憶部２５０と、撮影部２６０と、通信部２７０とを備える。
【００９１】
発光部２００は、照明光を照射する。つまり、発光部２００は、面状発光体５０に相当する。発光部２００は、制御部２１０によって設定された輝度及び色の照明光を照射する。
【００９２】
制御部２１０は、面状発光体５０（発光部２００）の輝度及び色の少なくとも一方を制御する。つまり、制御部２１０は、面状発光体５０の調光及び調色を行う。制御部２１０は、例えば、基台２０に内蔵されたマイクロコントローラに相当する。
【００９３】
制御部２１０は、受付部２４０によって受け付けられた指示に基づいて、面状発光体５０が照射する照明光の輝度及び色を制御する。具体的には、制御部２１０は、図７に示す第１電源１１０及び第２電源１１１の電圧値、並びに、第１スイッチ１２０及び第２スイッチ１２１のオン及びオフを制御することで、照明光の輝度及び色を制御する。
【００９４】
電池部２２０は、携帯鏡１０の電源であり、例えば、基台２０に内蔵された充放電可能な二次電池である。例えば、電池部２２０は、リチウムイオン電池であり、電池容量を適時選択することで、面状発光体５０の連続点灯時間を選択することが可能になる。
【００９５】
充放電制御部２３０は、電池部２２０の充放電を制御する。例えば、充放電制御部２３０は、基台２０に内蔵されたマイクロコントローラに相当する。充放電制御部２３０は、充電コネクタ２８及びＵＳＢコネクタ２７に接続されたデバイスを判別し、接続されたデバイスに応じて電池部２２０の充放電を制御する。
【００９６】
充放電制御部２３０は、例えば、充電コネクタ２８にＡＣアダプタが接続された場合に、電池部２２０の充電を行う。あるいは、充放電制御部２３０は、例えば、ＵＳＢケーブルを介してＵＳＢコネクタ２７にパソコンが接続された場合に、パソコンから電力を受けて電池部２２０の充電を行う。あるいは、充放電制御部２３０は、ＵＳＢコネクタ２７に携帯電話が接続された場合に、電池部２２０を放電させて携帯電話を充電する。
【００９７】
受付部２４０は、ユーザ指示を受け付ける。例えば、受付部２４０は、電源スイッチ２２、撮影ボタン２３、調光ボタン２４、調色ボタン２５及びシーン選択ボタン２６に相当する。受付部２４０は、各種ボタンが押下されたことを検知し、検知結果を制御部２１０に出力する。制御部２１０は、押下されたボタンに応じた処理を行う。具体的には、制御部２１０は、受付部２４０によって受け付けられた指示に基づいて、面状発光体５０の点灯、消灯、調光及び調色、並びに、カメラ６０による撮影を制御する。
【００９８】
例えば、受付部２４０は、シーン選択ボタン２６に相当し、１以上の照明シーンの１つを選択するためのユーザ指示を受け付ける。制御部２１０は、受付部２４０によって受け付けられたユーザ指示に基づいて、記憶部２５０に記憶されたシーンテーブル２５１を参照することにより、面状発光体５０の輝度及び色の少なくとも一方を制御する。
【００９９】
記憶部２５０は、例えば、基台２０に内蔵されたメモリである。記憶部２５０は、シーンテーブル２５１と、撮影画像２５２とを記憶する。
【０１００】
シーンテーブル２５１は、１以上の照明シーンのそれぞれと、面状発光体５０の輝度及び色の少なくとも一方とを対応付けたテーブルである。図１２は、本実施の形態に係る携帯鏡１０が保持するシーンテーブル２５１を示す図である。
【０１０１】
例えば、シーンテーブル２５１には、番号と、照明シーンの名称と、輝度値（調光）と、色（調色）とが対応付けられている。番号は、照明シーンの識別番号である。例えば、シーン選択ボタン２６が押下される度に、制御部２１０は、当該番号の順に照明シーンを選択する。
【０１０２】
照明シーンの名称は、例えば、ユーザにとって照明シーンを分かりやすく表す情報である。例えば、携帯鏡１０がディスプレイを有する場合に、選択された照明シーンの名称をディスプレイに表示してもよい。あるいは、パソコン又は携帯電話などを用いて照明シーンを新規登録又は編集する際に、パソコン又は携帯電話のディスプレイに照明シーンの名称が表示されてもよい。
【０１０３】
輝度値及び色は、面状発光体５０の発光を制御するためのパラメータである。例えば、制御部２１０は、選択された照明シーンの輝度値に応じて、面状発光体５０に印加する電圧を制御する。制御部２１０は、選択された照明シーンの色に応じて、面状発光体５０の発光色を制御する。
【０１０４】
撮影部２６０は、ユーザの顔を撮影する。撮影部２６０は、カメラ６０に相当する。撮影によって得られた画像（撮影画像２５２）は、記憶部２５０に記憶される。あるいは、撮影画像２５２は、通信部２７０を介して、無線通信により携帯電話などに送信してもよい。
【０１０５】
通信部２７０は、例えば、基台２０に内蔵された通信モジュールである。通信部２７０は、例えば、所定の無線通信規格に基づいた通信を行う無線通信モジュールである。無線通信規格は、例えば、Ｗｉ−Ｆｉ（登録商標）、Ｂｌｕｅｔｏｏｔｈ（登録商標）又はＺｉｇＢｅｅ（登録商標）（ＩＥＥＥ８０２．１５．４）などである。
【０１０６】
撮影画像２５２を携帯電話、パソコン又はクラウドサーバなどに送信することで、例えば、メイク診断に利用することができる。例えば、ユーザは、携帯鏡１０を見ながら化粧を行い、化粧終了後にカメラ６０によって化粧後の顔を撮影する。撮影により得られた撮影画像２５２をクラウドサーバなどに送信することで、メイクの専門家などに診てもらうことが可能になり、アドバイス及び評価などを受けることができる。
【０１０７】
また、携帯鏡１０は、顔を毎日撮影して、撮影画像２５２を時刻情報とともにクラウドサーバなどに送信し保存することもできる。これにより、ユーザの顔の日々の変化をログ情報として保存することができ、いわゆるライフログに利用することもできる。
【０１０８】
［まとめ］
以上のように、本実施の形態に係る携帯鏡１０は、基台２０と、基台２０に対して開閉自在に設けられた板状の開閉蓋３０と、開閉蓋３０の中央部に配置された板状の鏡４０と、鏡４０を側方から挟むように開閉蓋３０に配置された面状発光体５０とを備え、面状発光体５０は、面状発光素子５１と、面状発光素子５１の発光面側に配置された光学フィルム５２とを含み、光学フィルム５２の、上記発光面とは反対側の面は、開閉蓋３０を閉じた状態で、鏡４０より基台２０側に位置している。
【０１０９】
これにより、光学フィルム５２の光出射面が鏡４０よりも基台２０側に位置しているので、例えば、携帯鏡１０を落としてしまった場合、まず光学フィルム５２が衝撃を受ける。光学フィルム５２が衝撃を緩和するので、鏡４０を損傷しにくくすることができる。
【０１１０】
また、面状発光素子５１によって光を面状に照射するので、グレア（眩しさ）を抑えて、効果的に照明することができる。また、軽量及び小型化を実現することができるので、据置型の鏡とは異なり、自由に持ち運びが可能となり、ユーザにとって有用である。つまり、例えば、外出先などのユーザの好きな場所で、顔の表情及び化粧の状態を確認することができる。
【０１１１】
また、例えば、光学フィルム５２は、シート部１３０と、シート部１３０と面状発光素子５１との間に設けられた複数のプリズム部１４０とを含む。
【０１１２】
これにより、複数のプリズム部１４０によって面状発光素子５１からの照明光をユーザに向けて照射することができる。つまり、拡散する照明光を効果的にユーザに向けて照射することで、例えば、低い消費電力でもユーザの顔近傍の照度を高くすることができる。
【０１１３】
また、複数のプリズム部１４０間に中空の空間１６０を設けることで、衝撃を受けたときにプリズム部１４０が動く又は変形することができる。よって、プリズム部１４０によって衝撃を緩和することができ、鏡４０を損傷しにくくすることができる。
【０１１４】
また、例えば、開閉蓋３０の平面視形状は、矩形であり、面状発光体５０は、開閉蓋３０の長手方向の両側に鏡４０を挟むように配置されている。
【０１１５】
これにより、横長の携帯鏡１０の長手方向から光を照射することができるので、例えば、ユーザの左右から照明光を照射することができる。したがって、ユーザの顔に照明光による影を生じにくくすることができ、化粧などを行いやすくすることができる。つまり、ユーザの利便性を高めることができる。
【０１１６】
また、例えば、基台２０は、開閉蓋３０を開閉自在に保持するヒンジ部２１を備え、ヒンジ部２１の軸は、開閉蓋３０の長手方向に平行である。
【０１１７】
これにより、ヒンジ部２１により開閉を容易に行うことができる。ヒンジ部２１の軸が開閉蓋３０の長手方向に平行であるから、左右に横長の状態で開閉蓋３０を開くことができる。したがって、容易にユーザの左右から照明光を照射することができ、ユーザの利便性を高めることができる。
【０１１８】
また、例えば、面状発光素子５１は、有機ＥＬ素子である。
【０１１９】
これにより、例えば、発光ダイオード（ＬＥＤ）に比べて薄型の素子を提供することができる。また、蛍光灯などとは異なり、有機ＥＬ素子は紫外線を発しないので、ユーザの肌を守ることができる。さらに、有機ＥＬ素子は、発光時の温度上昇が低温であるので、ユーザは、発光中の携帯鏡１０を長時間、手で持つこともでき、発光部に直接触れても火傷等を負う可能性がない。つまり、ユーザの利便性を高めることができる。
【０１２０】
また、例えば、有機ＥＬ素子は、異なる色温度の光を発する複数の有機発光層を含み、複数の有機発光層は、厚み方向に積層されている。
【０１２１】
これにより、面状発光素子５１の調光及び調色を容易に実現することができる。
【０１２２】
また、例えば、携帯鏡１０は、さらに、面状発光体５０の輝度及び色の少なくとも一方を制御する制御部２１０を備える。
【０１２３】
これにより、調光及び調色を行うことができるので、例えば、シーンに応じた化粧をするときに有用である。例えば、レストランに行く前に化粧をするときには、携帯鏡１０は、レストランでの照明状態に応じた、電球色を選択して化粧を行うことができる。また、通常のビジネスシーンの前に化粧を行う場合には白昼色で照明することで、ビジネスシーンに相応しい化粧を行うことができる。以上のように、携帯鏡１０を使用することで、より状況に合った化粧を行うことができる。つまり、ユーザの利便性を高めることができる。
【０１２４】
また、例えば、携帯鏡１０は、さらに、１以上の照明シーンのそれぞれと、面状発光体５０の輝度及び色の少なくとも一方とを対応付けたシーンテーブル２５１を記憶する記憶部２５０と、１以上の照明シーンの１つを選択するためのユーザ指示を受け付ける受付部２４０とを備え、制御部２１０は、受付部２４０によって受け付けられたユーザ指示に基づいて、記憶部２５０に記憶されたシーンテーブル２５１を参照することにより、面状発光体５０の輝度及び色の少なくとも一方を制御する。
【０１２５】
これにより、予め１以上の照明シーンを登録しておくことで、ユーザは、照明シーンを選択するだけでよい。すなわち、ユーザの利便性を高めることができる。また、ユーザが照明シーンなどを追加登録及び編集することで、よりユーザ好みの照明シーンを作成することもでき、ユーザの利便性を更に高めることができる。
【０１２６】
（変形例１）
以下では、上記実施の形態に係る携帯鏡１０の変形例１について図面を用いて説明する。
【０１２７】
例えば、上記実施の形態では、面状発光素子５１が、異なる色温度の光を発する複数の有機発光層を厚み方向に積層した構造を有する例について説明したが、これに限らない。本変形例に係る携帯鏡の面状発光素子は、異なる色温度の光を発する複数の有機発光層は、面内の互いに異なる位置に配置されている。例えば、昼光色の有機発光層と電球色の有機発光層とが面内に配置されている構成でもよく、あるいは、Ｒ（赤）Ｇ（緑）Ｂ（青）の３原色の素子がディスプレイの画素のように配置されてもよい。昼光色と電球色との配置の場合は、それぞれの発光又は非発光を選択することで、ユーザに照射される色温度を選択することができる。また、ＲＧＢ配置の場合は、ＲＧＢそれぞれの発光割合を変更することで色温度の調整が可能になる。
【０１２８】
図１３は、本変形例に係る携帯鏡の面状発光素子５１ａの断面図である。図１３に示すように、面状発光素子５１ａは、第１電極層１００Ｒ、１００Ｇ及び１００Ｂと、発光層１０１Ｒ、１０１Ｇ及び１０１Ｂと、第２電極層１０２と、バンク１０５とを備える。
【０１２９】
第１電極層１００Ｒ、１００Ｇ及び１００Ｂはそれぞれ、発光層１０１Ｒ、１０１Ｇ及び１０１Ｂの陽極であり、例えば、アルミニウムなどの導電性の金属材料から構成される。
【０１３０】
発光層１０１Ｒ、１０１Ｇ及び１０１Ｂはそれぞれ、互いに異なる色温度の光を発する有機発光層である。
【０１３１】
発光層１０１Ｒは、例えば、赤色蛍光発光材料を含む層であり、第１電極層１００Ｒと第２電極層１０２との間に設けられる。発光層１０１Ｒは、第１電極層１００Ｒと第２電極層１０２との間に電圧が印加された場合に、赤色の光を発する。
【０１３２】
発光層１０１Ｇは、例えば、緑色蛍光発光材料を含む層であり、第１電極層１００Ｇと第２電極層１０２との間に設けられる。発光層１０１Ｇは、第１電極層１００Ｇと第２電極層１０２との間に電圧が印加された場合に、緑色の光を発する。
【０１３３】
発光層１０１Ｂは、例えば、青色蛍光発光材料を含む層であり、第１電極層１００Ｂと第２電極層１０２との間に設けられる。発光層１０１Ｂは、第１電極層１００Ｂと第２電極層１０２との間に電圧が印加された場合に、青色の光を発する。
【０１３４】
図１３に示すように、発光層１０１Ｒ、１０１Ｇ及び１０１Ｂは、面内の互いに異なる位置に配置されている。具体的には、発光層１０１Ｒ、１０１Ｇ及び１０１Ｂの間にはそれぞれ、バンク１０５が設けられている。
【０１３５】
バンク１０５は、絶縁性の隔壁である。バンク１０５は、第１電極層１００Ｒ、１００Ｇ及び１００Ｂのそれぞれを互いに電気的に絶縁する。また、バンク１０５は、例えば、発光層１０１Ｒ、１０１Ｇ及び１０１Ｂを塗布法により形成するときに、有機材料の塗り分けに利用される。
【０１３６】
発光層１０１Ｒ、１０１Ｇ及び１０１Ｂ、並びに、バンク１０５は、ライン状に、例えば、開閉蓋３０の短手方向に延伸するように設けられる。あるいは、発光層１０１Ｒ、１０１Ｇ及び１０１Ｂ、並びに、バンク１０５は、マトリクス状に配置されてもよい。
【０１３７】
第１電極層１００Ｒ、１００Ｇ及び１００Ｂのそれぞれと第２電極層１０２との間には、電源１１０Ｒ、１１０Ｇ及び１１０Ｂ、並びに、スイッチ１２０Ｒ、１２０Ｇ及び１２０Ｂが設けられている。これにより、図７の場合と同様に、発光層１０１Ｒ、１０１Ｇ及び１０１Ｂのそれぞれを独立して発光させることができる。つまり、面状発光素子５１ａは、スイッチ１２０Ｒ、１２０Ｇ及び１２０Ｂのオン及びオフを制御することで、発光色を調整することができる。また、面状発光素子５１ａは、電源１１０Ｒ、１１０Ｇ及び１１０Ｂの電圧値を制御することで、発光輝度を調整することができる。
【０１３８】
以上のように、本変形例に係る携帯鏡では、例えば、有機ＥＬ素子は、異なる色温度の光を発する複数の有機発光層を含み、複数の有機発光層は、面内の互いに異なる位置に配置されている。
【０１３９】
これにより、面状発光体５０の調光及び調色を容易に実現することができる。
【０１４０】
（変形例２）
続いて、上記実施の形態に係る携帯鏡１０の変形例２について図面を用いて説明する。
【０１４１】
上記実施の形態及び変形例１では、有機ＥＬ素子の発光を制御することで面状発光体の調色機能を実現したが、これに限らない。例えば、本変形例に係る携帯鏡は、エレクトロクロミック膜によって面状発光体の調色機能を実現する。
【０１４２】
図１４は、本変形例に係る携帯鏡の開閉蓋３０の断面図である。
【０１４３】
図１４に示すように、開閉蓋３０には、面状発光体５０ｂが配置されている。面状発光体５０ｂは、図６に示す面状発光体５０が備える構成要素に加えて、エレクトロクロミック膜５４を備える。
【０１４４】
エレクトロクロミック膜５４は、面状発光素子５１と光学フィルム５２との間に配置されている。エレクトロクロミック膜５４は、印加される電圧に応じて光透過性を変更することができる膜である。例えば、エレクトロクロミック膜５４は、所定の電圧が印加された場合に、特定の波長の透過率を低くすることができる。これにより、エレクトロクロミック膜５４は、面状発光素子５１から発せられた照明光の発光色を変更することができる。
【０１４５】
以上のように、本変形例に係る携帯鏡では、例えば、面状発光体５０ｂは、さらに、面状発光素子５１と光学フィルム５２との間に配置されたエレクトロクロミック膜５４を含む。
【０１４６】
これにより、面状発光体５０ｂの調光及び調色を容易に実現することができる。
【０１４７】
（その他）
以上、本発明に係る携帯鏡について、上記実施の形態及びその変形例に基づいて説明したが、本発明は、上記の実施の形態に限定されるものではない。
【０１４８】
例えば、上記の実施の形態では、携帯鏡１０が調光機能及び調色機能を有する例について示したが、いずれか一方でもよい。すなわち、携帯鏡１０は、調光機能及び調色機能の少なくとも一方を有していればよい。あるいは、携帯鏡１０は、調光機能及び調色機能の両方を有していなくてもよい。
【０１４９】
また、着脱可能なカラーフィルタを、例えば、光学フィルム５２の光出射面に取り付けてもよい。これにより、ユーザが必要に応じて面状発光体５０の発光色を調整することができる。
【０１５０】
また、上記の実施の形態では、光学フィルム５２が複数のプリズム部１４０を備える例について示したが、これに限らない。例えば、光学フィルム５２は、樹脂製のレンズシートなどでもよい。
【０１５１】
また、上記の実施の形態では、面状発光体５０が開閉蓋３０の長手方向の両側に設けたが、開閉蓋３０の短手方向の両側に設けてもよい。例えば、面状発光体５０はヒンジ部２１側とカメラ６０側とに、鏡４０を挟むように設けられてもよい。また、面状発光体５０は、鏡４０の全周を囲むように設けられてもよい。
【０１５２】
また、上記実施の形態では、ヒンジ部２１の軸が開閉蓋３０の長手方向に平行な例について示したが、ヒンジ部２１の軸は開閉蓋３０の短手方向に平行でもよい。つまり、携帯鏡１０は、横長ではなく、縦長でもよい。
【０１５３】
また、カメラ６０の光入射側に、特定の波長の光を遮断するフィルタを設置してもよい。例えば、フィルタは、開閉蓋３０に着脱可能に取り付けられる。
【０１５４】
フィルタは、例えば、短波長（青色）以外の光を遮断してもよい。この場合、撮影された画像は、青色の光のみが写った画像になる。これは、例えば、日焼け止めの塗りムラの防止に役立てることができる。青い光は日焼け止めに吸収されやすいためである。すなわち、撮影画像に青い光による顔が写っていなければ、正しく日焼け止めを塗ることができたと判定することができる。
【０１５５】
また、上記の実施の形態では、携帯鏡１０が、調光、調色、シーンの登録及び選択、撮影、並びに、充放電などの機能を有する例について示したが、これらは一例であって、携帯鏡１０は、これらの機能を有していなくてもよい。
【０１５６】
また、上記の実施の形態では、受付部２４０として物理的なボタンを備える例を示したが、これに限らない。例えば、通信部２７０が受付部２４０の機能を有し、携帯鏡１０と通信可能な携帯電話などから制御されてもよい。これにより、ユーザは、例えば、携帯電話のモニタに表示されるＧＵＩ（Ｇｒａｐｈｉｃａｌ  Ｕｓｅｒ  Ｉｎｔｅｒｆａｃｅ）などを操作することで、携帯鏡１０の調光、調色、シーンの登録及び選択などを実行することができる。
【０１５７】
また、上記実施の形態では、基台２０と開閉蓋３０との平面視形状が略同じである例について示したが、これに限らない。基台２０及び開閉蓋３０のいずれか一方が大きくてもよい。例えば、基台２０には、閉じられた状態に開閉蓋３０を収納するための空間が設けられていてもよい。つまり、基台２０は、開閉蓋３０より一回り大きくてもよい。そして、基台２０の側面が上方に延設されて、開閉蓋３０の側面を覆ってもよい。
【０１５８】
また、上記実施の形態では、面状発光素子５１が有機ＥＬ素子である例について示したが、これに限らない。例えば、面状発光素子５１は、ＬＥＤ又は無機ＥＬ素子でもよい。
【０１５９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１６０】
１０  携帯鏡
２０  基台
２１  ヒンジ部
３０  開閉蓋
４０  鏡
５０、５０ｂ  面状発光体
５１、５１ａ  面状発光素子
５２  光学フィルム
５３  配線基板
５４  エレクトロクロミック膜
１０１  第１発光層
１０１Ｂ、１０１Ｇ、１０１Ｒ  発光層
１０３  第２発光層
１３０  シート部
１４０、１４０ａ、１４０ｂ、１４０ｃ、１４０ｄ  プリズム部
２００  発光部
２１０  制御部
２４０  受付部
２５０  記憶部
２５１  シーンテーブル
【図１】
2017148082.tif 000003
【図２】
2017148082.tif 000004
【図３】
2017148082.tif 000005
【図４】
2017148082.tif 000006
【図５】
2017148082.tif 000007
【図６】
2017148082.tif 000008
【図７】
2017148082.tif 000009
【図８】
2017148082.tif 000010
【図９Ａ】
2017148082.tif 000011
【図９Ｂ】
2017148082.tif 000012
【図１０】
2017148082.tif 000013
【図１１】
2017148082.tif 000014
【図１２】
2017148082.tif 000015
【図１３】
2017148082.tif 000016
【図１４】
2017148082.tif 000017